(57)【要約】【課題】冷媒管を流通する冷媒と蓄冷材との熱交換効率を向上させるとともに、接合部の接合状態の確認を容易に行うことのできる蓄冷熱交換器を提供する。【解決手段】第２側板２２には、冷媒管１３の延びる方向に沿って外面が凹状に形成された凹部２２ｃと、凹部２２ｃの外周側の全周にわたって他方の冷媒管１３に接合される接合部２２ｅと、凹部２２ｃにおいて蓄冷材容器２０の内側と外側とを連通する連通孔２２ｄと、が形成されている。【選択図】図６
2017090015.tif 000002
【特許請求の範囲】
【請求項１】
冷媒流路を有し、互いに間隔をおいて配置された複数の冷媒管と、
蓄冷材が収容される空間を有し、隣り合う冷媒管の間に設けられた蓄冷材容器と、を備え、
蓄冷材容器は、一方の冷媒管に対向する第１側板と、他方の冷媒管に対向する第２側板と、を有し、
第１側板及び第２側板の一方には、冷媒管の延びる方向に沿って外面が凹状に形成された凹部と、凹部の外周側の全周にわたって冷媒管に接合される接合部と、凹部において蓄冷材容器の内側と外側とを連通する連通孔と、が形成されている
ことを特徴とする蓄冷熱交換器。
【請求項２】
第１側板及び第２側板の他方には、互いに間隔をおいて外面から突出する複数の凸部が形成され、
凸部は、先端部が冷媒管に接合され、
第１側板及び第２側板の他方と冷媒管との間には、蓄冷材と熱交換する空気が流通する空気流路が形成されている
ことを特徴とする請求項１に記載の蓄冷熱交換器。
【請求項３】
連通孔は、冷媒管の延びる方向における凹部の両端側に設けられている
ことを特徴とする請求項１または２に記載の蓄冷熱交換器。
【請求項４】
凹部と冷媒管との間の空間を、冷媒管の延びる方向にわたって冷媒管の延びる方向と直交する方向に仕切る仕切部を備えた
ことを特徴とする請求項１乃至３のいずれかに記載の蓄冷熱交換器。
【請求項５】
蓄冷材容器の内部には、インナーフィンが設けられている
ことを特徴とする請求項１乃至４のいずれかに記載の蓄冷熱交換器。
【請求項６】
インナーフィンは、板状部材を屈曲することによって、冷媒管の延びる方向に連続する波形に形成されている
ことを特徴とする請求項５に記載の蓄冷熱交換器。
【請求項７】
インナーフィンは、板状部材を屈曲することによって、冷媒管の延びる方向と直交する方向に連続する波形に形成されている
ことを特徴とする請求項５に記載の蓄冷熱交換器。
【発明の詳細な説明】
【技術分野】
【０００１】
本発明は、例えば、車両用空気調和装置の蒸発器として用いられる蓄冷熱交換器に関するものである。
【背景技術】
【０００２】
従来、この種の蓄冷熱交換器としては、互いに間隔をおいて配置された複数の冷媒管と、隣り合う冷媒管の間に設けられた蓄冷材容器と、を備えたものが知られている（例えば、特許文献１参照）。
【０００３】
蓄冷熱交換器は、例えば、車両用空気調和装置の蒸発器として用いられるものである。蓄冷熱交換器は、エンジンで駆動する圧縮機から吐出されて凝縮器で凝縮した冷媒を蒸発させることで、車室内に供給する空気を冷却すると同時に、蓄冷材容器内に収容された蓄冷材を冷却するようになっている。蓄冷熱交換器は、エンジンを停止させて圧縮機が停止した状態においても、冷却された蓄冷材と車室内に供給する空気とを熱交換させることで、車室内に供給する空気を冷却することが可能となっている。
【０００４】
前記蓄冷材容器は、一方の冷媒管に対向する第１側板と、他方の冷媒管に対向する第２側板と、を有している。第１側板には、互いに間隔をおいて外面から突出する複数の凸部が形成されており、凸部の先端部を一方の冷媒管にロウ付けによって接合することで、第１側板と一方の冷媒管との間に蓄冷材と熱交換する空気が流通する空気流路が形成される。また、第２側板には、他方の冷媒管にロウ付けによって接合することで、他方の冷媒管を流通する冷媒と蓄冷材容器に収容された蓄冷材とを熱交換する熱交換部が構成される。
【０００５】
前記蓄冷熱交換器では、熱交換部における冷媒と蓄冷材との熱交換効率の向上が求められている。そこで、熱交換部における冷媒と蓄冷材との熱交換効率を向上させることが可能な蓄冷熱交換器として、蓄冷材容器の第２側板に孔を形成し、孔を介して蓄冷材を冷媒管の外面に直接接触させる方法が考えられている。
【０００６】
蓄冷材を冷媒管の外面に直接接触させることが可能な蓄冷熱交換器としては、第２側板に複数の凸部を形成するとともに、凸部の先端面の中央部に孔を形成し、凸部の先端面を冷媒管の外面に接合することで、蓄冷材容器内の蓄冷材を、孔を介して冷媒管の外面に接触させるようにしたものが知られている（例えば、特許文献２参照）。
【０００７】
また、蓄冷材を冷媒管の外面に直接接触させることが可能な他の蓄冷熱交換器としては、第２側板に複数の凹部を設けるとともに、複数の凹部のうちの一部に孔を設け、第２側板を冷媒管の外面に接合することで、蓄冷材容器内の蓄冷材を、孔を介して冷媒管の外面に接触させるようにしたものが知られている（例えば、特許文献３参照）。
【先行技術文献】
【特許文献】
【０００８】
【特許文献１】特開２０１３−１７３３９３号公報
【特許文献２】特開２０１３−２２８２０６号公報
【特許文献３】特開２０１４−０３５０９９号公報
【発明の概要】
【発明が解決しようとする課題】
【０００９】
しかし、凸部の先端部に孔を設けた蓄冷熱交換器では、凸部と凸部の間に位置する部分が、蓄冷材が収容されない空間となるため、蓄冷材容器の容量が小さくなるとともに、熱交換部の面積も小さくなる。
【００１０】
また、凹部に孔を設けた蓄冷熱交換器では、孔を形成する凹部の数を多くすることによって、冷媒管の外面に対して蓄冷材が接触する面積を大きくすることはできるが、第２側板の中央部分に接合部が位置することになるため、蓄冷材容器の気密試験を行ったとしても接合部の不完全な接合状態の発見が困難である。
【００１１】
本発明の目的とするところは、冷媒管を流通する冷媒と蓄冷材との熱交換効率を向上させるとともに、接合部の接合状態の確認を容易に行うことのできる蓄冷熱交換器を提供することにある。
【課題を解決するための手段】
【００１２】
本発明は、前記目的を達成するために、冷媒流路を有し、互いに間隔をおいて配置された複数の冷媒管と、蓄冷材が収容される空間を有し、隣り合う冷媒管の間に設けられた蓄冷材容器と、を備え、蓄冷材容器は、一方の冷媒管に対向する第１側板と、他方の冷媒管に対向する第２側板と、を有し、第１側板及び第２側板の一方には、冷媒管の延びる方向に沿って外面が凹状に形成された凹部と、凹部の外周側の全周にわたって冷媒管に接合される接合部と、凹部において蓄冷材容器の内側と外側とを連通する連通孔と、が形成されている。
【００１３】
これにより、凹部と他方の冷媒管によって囲まれた空間に蓄冷材が注入されることから、注入された蓄冷材が直接冷媒管に接触した状態で冷却される。また、凹部の外周側の接合部が冷媒管に接合されることから、蓄冷材容器の気密試験によって冷媒管との接合状態の確認がなされる。
【発明の効果】
【００１４】
本発明によれば、凹部と他方の冷媒管によって囲まれた空間に注入された蓄冷材を直接冷媒管の外面に接触させることができるので、蓄冷材と冷媒管を流通する冷媒との熱交換効率を向上させることが可能となる。また、蓄冷材容器の気密試験によって冷媒管との接合状態の確認を行うことができるので、蓄冷熱交換器の製品検査における不完全な接合状態を発見する精度を向上させることが可能となる。
【図面の簡単な説明】
【００１５】
【図１】本発明の第１実施形態を示す車両用空気調和装置の概略構成図である。
【図２】蓄冷熱交換器の全体斜視図である。
【図３】蓄冷材容器の全体斜視図である。
【図４】蓄冷材容器の分解斜視図である。
【図５】蓄冷材容器を第２側板側から見た図である。
【図６】蓄冷材容器の要部断面図である。
【図７】本発明の第２実施形態を示す蓄冷材容器の要部断面図である。
【図８】本発明の第３実施形態を示す蓄冷材容器の要部断面図である。
【図９】本発明の第４実施形態を示す蓄冷材容器の要部断面図である。
【発明を実施するための形態】
【００１６】
図１乃至図６は、本発明の第１実施形態を示すものである。
【００１７】
本発明の蓄冷熱交換器は、車両用空気調和装置に適用されるものである。この車両用空気調和装置は、図１に示すように、車室Ａ内に設置される本発明の蓄冷熱交換器１０が接続された冷媒回路１を備えている。冷媒回路１には、蓄冷熱交換器１０の他に、車両の走行用のエンジンによって駆動する圧縮機２と、圧縮機２から吐出された冷媒を凝縮するための凝縮器３と、凝縮器３によって凝縮された冷媒を減圧するための膨張弁４と、が接続されている。また、車両用空気調和装置は、凝縮器３を流通する冷媒と熱交換する空気を流通させるための室外側送風機５と、蓄冷熱交換器１０を流通する冷媒と熱交換する空気を流通させるための室内側送風機６と、を備えている。室外側送風機５及び室内側送風機６は、それぞれ車両に設けられたオルタネータで発電された電力またはバッテリの電力によって駆動する。
【００１８】
蓄冷熱交換器１０は、図２に示すように、上部に設けられた上側ヘッダ１１と、下部に設けられた下側ヘッダ１２と、一端が上側ヘッダ１１に接続され他端が下側ヘッダ１２に接続された複数の冷媒管１３と、隣り合う冷媒管１３の間に設けられたフィン１４と、一部の隣り合う冷媒管１３の間に設けられた蓄冷材容器２０と、を備えている。
【００１９】
上側ヘッダ１１は、例えばアルミニウム等の金属製の部材からなり、水平方向に延びる筒状に形成されている。上側ヘッダ１１は、内部の空間が前後に仕切られている。上側ヘッダ１１の一方の空間は、凝縮器３から流出した冷媒が流入する流入ヘッダ部１１ａである。上側ヘッダ１１の他方の空間は、蓄冷熱交換器１０から流出する冷媒が流通する流出ヘッダ部１１ｂである。流入ヘッダ部１１ａには、冷媒流入口１１ｃが設けられている。また、流出ヘッダ部１１ｂには、冷媒流出口１１ｄが設けられている。
【００２０】
下側ヘッダ１２は、例えばアルミニウム等の金属製の部材からなり、水平方向に延びる筒状に形成されている。下側ヘッダ１２は、内部の空間が前後に仕切られている。下側ヘッダ１２の前後の空間は、互いに連通しており、一方の空間に流入した冷媒が他方の空間に向かって流通する。
【００２１】
冷媒管１３は、例えばアルミニウム等の金属を押出成型によって、図６に示すように、平板状に形成した中空の部材である。冷媒管１３は、内部が流路断面の長手方向（幅方向）に仕切られており、冷媒が流通する冷媒流路１３ａが流路断面の長手方向（幅方向）に複数形成されている。
【００２２】
冷媒管１３は、隣り合う冷媒管１３に対して平坦部同士を対向させて、互いに所定の間隔をおいて配置されている。複数の冷媒管１３は、上側ヘッダ１１の流入ヘッダ部１１ａと下側ヘッダ１２の一方の空間とを連通する後列と、上側ヘッダ１１の流出ヘッダ部１１ｂと下側ヘッダ１２の他方の空間とを連通する前列と、の前後２列に配置されている。後列の各冷媒管１３と前列の各冷媒管１３は、互いに前後方向に並ぶように配置されている。
【００２３】
フィン１４は、例えばアルミニウム等の金属板を波形に屈曲したコルゲートフィンであり、波形の頂点部分が冷媒管１３の平坦部にロウ付けによって接合される。
【００２４】
蓄冷材容器２０は、例えばアルミニウム等の金属製の部材からなり、内部にパラフィン等の蓄冷材が収容されるようになっている。蓄冷材容器２０は、図２または図６に示すように、上下方向の寸法が上側ヘッダ１１と下側ヘッダ１２の間の寸法と略同一に形成され、幅方向の寸法が互いに隣り合う冷媒管１３の間の寸法と略同一に形成され、前後方向の寸法が前列の冷媒管１３の前端部と後列の冷媒管１３の後端部との間寸法と略同一に形成されている。蓄冷材容器２０の上部には、図３及び図５に示すように、蓄冷材を内部に注入するための注入口２０ａが設けられている。
【００２５】
蓄冷材容器２０は、図６に示すように、一方の冷媒管１３に対向する第１側板２１と、他方の冷媒管１３に対向する第２側板２２と、第１側板２１と第２側板２２との間に設けられたインナーフィン２３と、を有している。
【００２６】
第１側板２１は、図４及び図６に示すように、外周部に設けられたフランジ２１ａと、フランジ２１ａを除く部分に設けられた平坦面２１ｂと、平坦面２１ｂから外側に突出する円錐台形状に形成された複数の凸部２１ｃと、を有している。複数の凸部２１ｃは、それぞれ隣り合う凸部２１ｃと間隔をおいて配置されている。凸部２１ｃの先端面は、一方の冷媒管１３の平坦面に対してロウ付けによって接合される接合部２１ｄとなる。
【００２７】
第１側板２１の接合部２１ｄが一方の冷媒管１３の平坦部に接合された状態において、第１側板２１と一方の冷媒管１３との間には、図６に示すように、蓄冷材と熱交換する空気が流通する空気流路２１ｅが形成される。
【００２８】
第２側板２２は、図５及び図６に示すように、外周部に設けられたフランジ２２ａと、フランジ２２ａを除く部分に設けられた平坦面２２ｂと、平坦面２２ｂに凹状に形成された前後一対の凹部２２ｃと、を有している。第２側板２２は、フランジ２２ａを第１側板２１のフランジ２１ａに対してロウ付けによって接合することにより、第１側板２１と一体に形成される。
【００２９】
一対の凹部２２ｃは、それぞれ前後に並ぶ他方の冷媒管１３のそれぞれに対向する位置において、冷媒管１３の延びる方向に沿って凹状に形成されている。また、一対の凹部２２ｃのそれぞれの上下両端側には、蓄冷材容器２０の内側と外側とを連通する連通孔２２ｄが設けられている。
【００３０】
平坦面２２ｂのうち、一対の凹部２２ｃの外周側に位置する部分は、他方の冷媒管１３の平坦部に対して接合される接合部２２ｅとなる。また、図５及び図６において、白抜きの矢印は、冷媒管１３を流通する冷媒と熱交換する空気の流通方向を示し、空気の流通方向の最も上流側に位置する接合部２２ｅの前後方向の寸法Ｗ１は、耐食性を向上させるために、他の接合部２２ｅの前後方向の寸法Ｗ２よりも大きく形成されている。
【００３１】
第２側板２２の接合部２２ｅが他方の冷媒管１３の平坦部に接合された状態において、第２側板２２の凹部２２ｃと他方の冷媒管１３との間には、図６に示すように、蓄冷材容器２０の内部と連通する空間２２ｆが形成される。蓄冷材容器２０に注入された蓄冷材は、空間２２ｆに流入し、冷媒管１３の外面に直接接触する。
【００３２】
インナーフィン２３は、板状部材を波形に屈曲したコルゲートフィンであり、波形が上下方向（冷媒管１３の延びる方向）に連続している。インナーフィン２３は、波形の頂点部分が第１側板２１及び第２側板２２の内面にロウ付けによって接合される。
【００３３】
以上のように構成された車両用空気調和装置では、圧縮機２を駆動させると共に室外側送風機５及び室内側送風機６を駆動させることで、車室Ａ内の冷房を行う。ここで、車両の走行時においては、走行風が凝縮器３を流通する冷媒と熱交換する空気として利用可能であるため、室外側送風機５を停止してもよい。
【００３４】
このとき、冷媒回路１において、圧縮機２から吐出された冷媒は、凝縮器３を流通して放熱した後、膨張弁４を介して蓄冷熱交換器１０を流通して吸熱して圧縮機２に吸入される。
【００３５】
また、蓄冷熱交換器１０において、冷媒は、冷媒流入口１１ｃから上側ヘッダ１１の流入ヘッダ部１１ａに流入した後、後列の冷媒管１３を下方に向かって流通して下側ヘッダ１２の一方の空間に流入する。下側ヘッダ１２の一方の空間に流入した冷媒は、下側ヘッダ１２の他方の空間に流入した後、前列の冷媒管１３を上方に向かって流通して上側ヘッダ１１の流出ヘッダ部１１ｂに流入し、冷媒流出口１１ｄから流出する。
【００３６】
蓄冷熱交換器１０では、吸熱する冷媒によって、冷媒管１３と冷媒管１３との間を通過する空気が冷媒管１３やフィン１４に接触することで冷却されるとともに、他方の冷媒管１３に接合された蓄冷材容器２０の内部に収容された蓄冷材が冷却される。
【００３７】
このとき、蓄冷材容器２０内の蓄冷材は、冷媒管１３及び接合部２１ｄ，２２ｅを介して冷媒と熱交換して冷却される。また、空間２２ｆに位置する蓄冷材は、冷媒管１３のみを介して冷媒と熱交換して冷却される。
【００３８】
この車両用空気調和装置では、アイドリングストップ機能等によってエンジンを停止した場合に、室内側送風機６によって流通する空気が、蓄冷材容器２０の第１側板２１と一方の冷媒管１３との間に形成された空気流路２１ｅを流通することで、蓄冷材容器２０に収容された蓄冷材と熱交換して冷却されるため、車室Ａ内の冷房の継続が可能である。
【００３９】
また、蓄冷材容器２０の第２側板２２と他方の冷媒管１３とのロウ付けによる接合状態は、蓄冷材容器２０の気密試験によって確認することができる。即ち、蓄冷材容器２０の内部と空間２２ｆは連通しているため、第２側板２２と他方の冷媒管１３とのロウ付けが不完全である状態は、蓄冷材容器２０に充填した液体（蓄冷材）が漏洩することで発見することができる。
【００４０】
このように、本実施形態の蓄冷熱交換器１０によれば、第２側板２２には、冷媒管１３の延びる方向に沿って外面が凹状に形成された凹部２２ｃと、凹部２２ｃの外周側の全周にわたって他方の冷媒管１３に接合される接合部２２ｅと、凹部２２ｃにおいて蓄冷材容器２０の内側と外側とを連通する連通孔２２ｄと、が形成されている。
【００４１】
これにより、第２側板２２の凹部２２ｃと他方の冷媒管１３によって囲まれた空間２２ｆに注入された蓄冷材を直接他方の冷媒管１３の外面に接触させることができるので、蓄冷材と冷媒管１３を流通する冷媒との熱交換効率を向上させることが可能となる。また、蓄冷材容器２０の気密試験によって第２側板２２と他方の冷媒管１３との接合状態の確認を行うことができるので、蓄冷熱交換器１０の製品検査における不完全な接合状態を発見する精度を向上させることが可能となる。
【００４２】
また、第１側板２１には、互いに間隔をおいて外面から突出する複数の凸部２１ｃが形成され、凸部２１ｃは、先端面が一方の冷媒管１３に接合され、第１側板２１と一方の冷媒管１３との間には、蓄冷材と熱交換する空気が流通する空気流路２１ｅが形成されている。
【００４３】
これにより、第１側板２１を介して蓄冷材と車室Ａ内に供給する空気とを熱交換させ、第２側板２２を介して蓄冷材と他方の冷媒管１３を流通する冷媒とを熱交換させることが可能となるので、蓄冷材による車室Ａ内に供給する空気の冷却、及び、冷媒による蓄冷材の冷却を、それぞれ確実に行うことが可能となる。
【００４４】
また、連通孔２２ｄは、冷媒管１３の延びる方向における凹部２２ｃの両端側に設けられている。
【００４５】
これにより、蓄冷材容器２０内に蓄冷材を注入する際に、一方の連通孔２２ｄがエア抜きとして機能するため、空間２２ｆに蓄冷材を確実に流入させることができるので、空間２２ｆにおける冷媒管１３を流通する冷媒との熱交換効率をより向上させることが可能となる。
【００４６】
また、蓄冷材容器２０の内部には、板状のインナーフィン２３が設けられている。
【００４７】
これにより、蓄冷材容器２０内の蓄冷材と冷媒との熱交換及び蓄冷材と空気との熱交換を、それぞれ促進することが可能となる。
【００４８】
また、インナーフィン２３は、板状部材を屈曲することによって、冷媒管１３の延びる方向に連続する波形に形成されている。
【００４９】
これにより、インナーフィン２３の波形の頂点部分が蓄冷材容器２０内の全体に均一に接合されるため、蓄冷材容器２０の強度を大きくすることができ、蓄冷材容器２０内の圧力の変化による蓄冷材容器２０の変形を防止することが可能となる。
【００５０】
図７は、本発明の第２実施形態を示すものである。尚、前記実施形態と同様の構成部分には同一の符号を付して示す。
【００５１】
本実施形態の蓄冷熱交換器１０の蓄冷材容器２０は、空間２２ｆの前後方向中央部に設けられ空間２２ｆを上下方向にわたって前後方向に仕切る仕切部２２ｇを有している。仕切部２２ｇは、冷媒管１３及び第２側板２２の一方側に一体に形成されており、冷媒管１３に対して第２側板２２をロウ付けによって接合する際に、冷媒管１３及び第２側板２２の他方側に接合される。
【００５２】
以上のように構成された蓄冷熱交換器１０では、空間２２ｆ内の前後方向中央部において、第２側板２２と他方の冷媒管１３とが仕切部２２ｇによって上下方向にわたって連結されているため、蓄冷材容器２０内の圧力の変化に対して空間２２ｆの形状が保持される。これにより、空間２２ｆの前後方向の寸法を大きくすることが可能となり、蓄冷材と冷媒管１３を流通する冷媒との熱交換効率をより向上させることが可能となる。
【００５３】
図８は、本発明の第３実施形態を示すものである。尚、前記実施形態と同様の構成部分には同一の符号を付して示す。
【００５４】
本実施形態の蓄冷熱交換器１０の蓄冷材容器２０は、インナーフィン２４の波形が前後方向（流路断面の長手方向）に連続している。インナーフィン２４の高さ寸法は、第１側板２１の平坦面２１ｂの内側と第２側板２２の平坦面２２ｂの内側との間の寸法と略同一である。インナーフィン２４は、波形の頂点部分が第１側板２１及び第２側板２２の内面にロウ付けによって接合される。
【００５５】
以上のように構成された蓄冷熱交換器１０では、第１実施形態と同様に、蓄冷材容器２０内の蓄冷材と冷媒との熱交換及び蓄冷材と空気との熱交換を、それぞれ促進することが可能となる。
【００５６】
図９は、本発明の第４実施形態を示すものである。尚、前記実施形態と同様の構成部分には同一の符号を付して示す。
【００５７】
本実施形態の蓄冷熱交換器１０の蓄冷材容器２０は、インナーフィン２５が、波形が前後方向（流路断面の長手方向）に連続するとともに、波形の各頂点部分が前後方向にわたって第２側板２２の内面に接合される高さ寸法となっている。即ち、第２側板２２の凹部２２ｃに位置する波形の頂点部分は、平坦面２２ｂに位置する波形の頂点部分の高さ寸法よりも高さ寸法が大きく形成されている。
【００５８】
以上のように構成された蓄冷熱交換器１０では、第３実施形態と同様に、蓄冷材容器２０内の蓄冷材と冷媒との熱交換及び蓄冷材と空気との熱交換を、それぞれ促進することが可能となる。
【００５９】
また、インナーフィン２５の全ての頂点部分が、第２側板２２の内面に接合させることになるため、蓄冷材容器２０内の蓄冷材と冷媒との熱交換を一層促進することが可能となる。また、インナーフィン２３の波形の頂点部分が第２側板２２の全面に均一に接合されることになるため、蓄冷材容器２０の強度を大きくすることができ、蓄冷材容器２０内の圧力の変化による蓄冷材容器２０の変形を防止することが可能となる。
【００６０】
尚、前記実施形態では、本発明を車両用空気調和装置に適用したものを示したが、これに限られるものではなく、圧縮機を停止した状態で冷却運転を継続可能な冷却装置に本発明を適用することが可能である。
【００６１】
また、前記実施形態のインナーフィン２３，２４，２５は、インナーフィン２３，２４，２５を構成する部材の板厚や波形の間隔を適宜選択することが可能であり、要求される蓄冷材容器２０の強度や熱伝達の性能を発揮することが可能である。
【００６２】
また、前記実施形態では、第２側板２２の凹部２２ｃの上下方向両側に一対の連通孔２２ｄを形成したものを示したが、１または３以上の連通孔を凹部に形成するようにしてもよい。また、各連通孔の開口面積についても適宜選択することが可能であり、要求される蓄冷材容器２０の強度や熱伝達の性能を発揮することが可能である。
【００６３】
また、前記第２実施形態では、仕切部２２ｇを、連通孔２２ｄが位置する部分にも配置しているが、空間２２ｆの連通孔２２ｄ以外の部分を前後方向に仕切るように配置してもよい。また、空間２２ｆの上下方向にわたって仕切部２２ｇを設け、仕切部２２ｇによって仕切られた空間の前後両側に連通孔を設けるようにしてもよい。
【符号の説明】
【００６４】
１０…蓄冷熱交換器、１３…冷媒管、２０…蓄冷材容器、２１…第１側板、２１ｃ…凸部、２２…第２側板、２２ｃ…凹部、２２ｄ…連通孔、２２ｅ…接合部、２２ｆ…空間、２２ｇ…仕切部、２３，２４，２５…インナーフィン。
【図１】
2017090015.tif 000003
【図２】
2017090015.tif 000004
【図３】
2017090015.tif 000005
【図４】
2017090015.tif 000006
【図５】
2017090015.tif 000007
【図６】
2017090015.tif 000008
【図７】
2017090015.tif 000009
【図８】
2017090015.tif 000010
【図９】
2017090015.tif 000011